(57)【要約】【課題】受信信号の減衰動作時においても所望する信号の減衰を抑制することが可能な「受信装置」を提供する。【解決手段】シフト回路１３４は、受信局信号電界強度検出値が閾値以下であり、且つ、ＩＦ−ＡＧＣ回路１２２が減衰動作を行っている場合には、アクセサリ回路１３６への出力値を、受信局信号電界強度検出値の初期値に所定値を加算した値とする。アクセサリ回路１３６は、この出力値に基づいて、検波回路１２４からの受信局信号の出力を遮断するミュート処理、受信局信号の高周波帯域成分の出力を遮断するハイカット処理、受信局信号の左右成分を混合して当該受信局信号に基づくステレオ再生をモノラル再生へ切り替える処理のいずれかを行う。【選択図】図１
2009017318.tif 000002
【特許請求の範囲】
【請求項１】
受信した第１の所定周波数帯域の信号の電界強度に応じて動作し、該第１の所定周波数帯域の信号の電界強度を制御する第１の電界強度制御手段と、
前記第１の電界強度制御手段により電界強度が制御された前記第１の所定周波数帯域の信号を周波数変換して得られる、該第１の周波数帯域より低い第２の周波数帯域の信号の電界強度に応じて動作し、該第２の所定周波数帯域の信号の電界強度を制御する第２の電界強度制御手段と、
前記第２の電界強度制御手段により電界強度が制御された前記第２の所定周波数帯域の信号から所定の周波数を有する受信局信号を検波して出力する検波手段と、
前記検波手段により得られる前記受信局信号の電界強度を検出する電界強度検出手段と、
前記第２の電界強度制御手段により前記第２の周波数帯域の信号の電界強度が減衰されている場合に、前記電界強度検出手段により検出された前記受信局信号の電界強度を所定値に設定する電界強度設定手段と、
前記電界強度設定手段により設定された前記受信局信号の電界強度に基づいて、前記検波手段により出力される前記受信局信号の出力を制御する出力制御手段とを有することを特徴とする受信装置。
【請求項２】
前記電界強度設定手段は、前記第２の電界強度制御手段により前記第２の周波数帯域の信号の電界強度が減衰され、且つ、前記電界強度検出手段により検出された前記受信局信号の電界強度が予め定められた閾値以下である場合に、前記電界強度検出手段により検出された前記受信局信号の電界強度を所定値に設定することを特徴とする請求項１に記載の受信装置。
【請求項３】
前記電界強度設定手段は、予め定められた所定時間をかけて、前記受信局信号の電界強度を最終的な値に設定することを特徴とする請求項１又は２に記載の受信装置。
【請求項４】
前記出力制御手段は、前記受信局信号の出力の遮断、前記受信局信号の所定周波数帯域成分の出力の遮断、及び、前記受信局信号の左右成分の混合の少なくともいずれかを行うことを特徴とする請求項１乃至３のいずれかに記載の受信装置。
【発明の詳細な説明】
【技術分野】
【０００１】
本発明は、ＡＭ放送信号、ＦＭ放送信号、テレビ放送信号等の各種信号を受信する受信装置に関する。
【背景技術】
【０００２】
受信装置は、ＡＭ放送信号、ＦＭ放送信号、テレビ放送信号等の各種信号を受信する際、所定の高周波帯域において、所望する信号（以下、「受信局信号」と称する）の近傍の周波数に電界強度の高い信号（以下、「妨害局信号」と称する）が存在すると、受信信号を減衰させることによって当該受信信号の歪を回避する（例えば、特許文献１及び２参照）。受信信号の減衰は、例えば、受信装置内の入力段における自動ゲイン制御（ＡＧＣ：Auto Gain Control）回路が動作することによってなされる。このＡＧＣ回路は、受信装置内の前段の高周波増幅部と、後段の中間周波増幅部にそれぞれ構成されている。
【特許文献１】特開２００５−５８１９号公報
【特許文献２】特開２００５−１３００７６号公報
【発明の開示】
【発明が解決しようとする課題】
【０００３】
しかしながら、ＡＧＣ回路は、受信信号の全体を減衰させるため、妨害局信号のみならず、受信局信号も減衰されてしまう。このような問題を解消すべく、受信局信号の電界強度が低い場合には、ＡＧＣ回路の動作を緩慢にさせる手法をとることが考えられるが、この手法では、本来の目的である受信信号の歪回避の特性が低下してしまう。
【０００４】
本発明の目的は、上述した問題を解決するものであり、受信信号の減衰動作時においても所望する信号の減衰を抑制することが可能な受信装置を提供するものである。
【課題を解決するための手段】
【０００５】
本発明に係る受信装置は、受信した第１の所定周波数帯域の信号の電界強度に応じて動作し、該第１の所定周波数帯域の信号の電界強度を制御する第１の電界強度制御手段と、前記第１の電界強度制御手段により電界強度が制御された前記第１の所定周波数帯域の信号を周波数変換して得られる、該第１の周波数帯域より低い第２の周波数帯域の信号の電界強度に応じて動作し、該第２の所定周波数帯域の信号の電界強度を制御する第２の電界強度制御手段と、前記第２の電界強度制御手段により電界強度が制御された前記第２の所定周波数帯域の信号から所定の周波数を有する受信局信号を検波して出力する検波手段と、前記検波手段により得られる前記受信局信号の電界強度を検出する電界強度検出手段と、前記第２の電界強度制御手段により前記第２の周波数帯域の信号の電界強度が減衰されている場合に、前記電界強度検出手段により検出された前記受信局信号の電界強度を所定値に設定する電界強度設定手段と、前記電界強度設定手段により設定された前記受信局信号の電界強度に基づいて、前記検波手段により出力される前記受信局信号の出力を制御する出力制御手段とを有することを特徴とする。
【０００６】
この構成によれば、妨害局信号の電界強度が高いために第２の電界強度制御手段により減衰がなされることによって、受信局信号の電界強度が低下するような場合には、当該受信局信号の電界強度を所定値に設定することで補完し、その所定値の電界強度に基づいて、出力制御が行われることにより、受信信号の減衰動作時においても所望する受信局信号の減衰を抑制することが可能となる。
【０００７】
また、本発明に係る受信装置は、前記電界強度設定手段が、前記第２の電界強度制御手段により前記第２の周波数帯域の信号の電界強度が減衰され、且つ、前記電界強度検出手段により検出された前記受信局信号の電界強度が予め定められた閾値以下である場合に、前記電界強度検出手段により検出された前記受信局信号の電界強度を所定値に設定するようにしてもよい。
【０００８】
この構成によれば、第２の電界強度制御手段が動作することによって、受信局信号の電界強度が閾値以下に低下するような場合には、当該受信局信号の電界強度を所定値に設定することで補完し、その所定値の電界強度に基づいて、出力制御が行われることにより、受信信号の減衰動作時においても所望する受信局信号の減衰を抑制することが可能となる。
【０００９】
また、本発明に係る受信装置は、前記電界強度設定手段が、予め定められた所定時間をかけて、前記受信局信号の電界強度を最終的な値に設定するようにしてもよい。
【００１０】
この構成によれば、受信局信号の電界強度が急激に変化することを防止して、受信局信号の出力制御をスムーズに行うことが可能となる。
【００１１】
また、本発明に係る受信装置は、前記出力制御手段が、前記受信局信号の出力の遮断、前記受信局信号の所定周波数帯域成分の出力の遮断、及び、前記受信局信号の左右成分の混合の切り替えの少なくともいずれかを行うようにしてもよい。
【発明の効果】
【００１２】
本発明によれば、妨害局信号の電界強度が高いために、受信信号の電界強度制御が行われて受信局信号の電界強度が低下するような場合には、当該受信局信号の電界強度を所定値に設定し、その所定値の電界強度に基づいて、出力制御が行われることにより、受信信号の減衰動作時においても所望する受信局信号の減衰を抑制することが可能となる。
【発明を実施するための最良の形態】
【００１３】
以下、本発明の実施の形態について、図面を参照して具体的に説明する。図１は、本発明の実施形態に係る受信装置の構成を示す図である。
【００１４】
図１に示す受信装置は、フロントエンドとなる、アンテナ１０２、ＲＦ減衰回路１０４、ＲＦ同調フィルタ１０６、高周波増幅回路１０８、ＲＦ同調フィルタ１１０、混合器１１２、中間周波フィルタ１１４、中間周波増幅回路１１６及びＲＦ−ＡＧＣ回路１１８と、バックエンドとなる中間周波フィルタ１２０、ＩＦ−ＡＧＣ回路１２２、検波回路１２４、受信レベル検出回路１２６、弱電界判定部１２８、ＩＦ−ＡＧＣ動作判定部１３０、ＡＮＤ回路１３２、シフト回路１３４、アクセサリ回路１３６及び音声出力部１３８とにより構成される。これらのうち、弱電界判定部１２８、ＩＦ−ＡＧＣ動作判定部１３０及びＡＮＤ回路１３２は、マイクロコンピュータ１４０内に構成される。
【００１５】
アンテナ１０２は、ＡＭ放送信号、ＦＭ放送信号、テレビ放送信号等の高周波信号を受信する。ＲＦ減衰回路１０４は、後述するＲＦ−ＡＧＣ回路１１８の制御によって減衰度が制御され、アンテナ１０２によって受信された高周波信号を減衰させる。ＲＦ同調フィルタ１０６は、ＲＦ減衰回路１０４による減衰後の高周波信号について、ＲＦ−ＡＧＣ回路１１８の制御によって設定される所定の高周波帯域のみを出力する。高周波増幅回路１０８は、ＲＦ同調フィルタ１０６からの高周波信号を、所定の増幅度で増幅させる。ＲＦ同調フィルタ１１０は、高周波増幅回路１０８による増幅後の高周波信号について、所定の高周波帯域のみを出力する。混合器１１２は、ＲＦ同調フィルタ１１０からの高周波信号と、所定の信号とを混合し、中間周波信号に変換して出力する。
【００１６】
中間周波フィルタ１１４は、混合器１１２からの中間周波信号について、所定の中間周波帯域のみを出力する。中間周波増幅回路１１６は、中間周波フィルタ１１４からの中間周波信号を、所定の増幅度で増幅させる。ＲＦ−ＡＧＣ回路１１８は、混合器１１２からの中間周波信号と、中間周波増幅回路１１６からの中間周波信号とを入力し、これらの電界強度が予め定められた値を超える場合には、当該値以下となるように、ＲＦ減衰回路１０４における減衰度を設定する。また、ＲＦ−ＡＧＣ回路１１８は、ＲＦ同調フィルタ１０６が出力すべき高周波帯域を設定する。
【００１７】
中間周波フィルタ１２０は、中間周波増幅回路１１６からの中間周波信号について、所定の中間周波帯域のみを出力する。ＩＦ−ＡＧＣ回路１２２は、中間周波フィルタ１２０からの中間周波信号の電界強度が予め定められた値を超える場合には、中間周波フィルタ１２０からの中間周波信号の電界強度が予め定められた値以下となるように、中間周波増幅回路１１６の増幅度を設定する。更に、ＩＦ−ＡＧＣ回路１２２は、当該設定を行った旨をＩＦ−ＡＧＣ動作判定部１３０へ出力する。
【００１８】
中間周波増幅回路１１６は、ＩＦ−ＡＧＣ回路１２２によって設定された増幅度で、中間周波フィルタ１１４からの中間周波信号を増幅させる。上述したように、ＲＦ−ＡＧＣ回路１１８は、中間周波増幅回路１１６からの中間周波信号の電界強度に基づいて、ＲＦ減衰回路１０４における減衰度を設定している。従って、ＩＦ−ＡＧＣ回路１２２は、中間周波増幅回路１１６を介して間接的にＲＦ−ＡＧＣ回路１１８を制御することになる。
【００１９】
検波回路１２４は、中間周波フィルタ１２０からの中間周波信号を検波し、出力すべき所望の信号（受信局信号）を得る。受信レベル検出回路１２６は、検波回路１２４からの受信局信号の電界強度を、例えば０〜５の範囲で数値化する。以下、数値化された値を受信局信号電界強度検出値と称する。弱電界判定部１２８は、受信レベル検出回路１２６からの受信局信号電界強度検出値が予め定められた閾値以下であるか否かを判定する。そして、受信局信号電界強度検出値が閾値以下である場合には、弱電界判定部１２８は、ＡＮＤ回路１３２に対して、ハイレベルの信号を出力する。
【００２０】
ＩＦ−ＡＧＣ動作判定部１３０は、ＩＦ−ＡＧＣ回路１２２からの中間周波信号の電界強度が予め定められた値以下となるように中間周波増幅回路１１６の増幅度を設定した旨の通知を入力すると、その旨を認識し、ＡＮＤ回路１３２に対して、ハイレベルの信号を出力する。
【００２１】
ＡＮＤ回路１３２は、上述した受信レベル検出回路１２６及び弱電界判定部１２８の双方からハイレベルの信号を受信した場合に、ハイレベルの信号を出力する。シフト回路１３４は、ＡＮＤ回路１３２からのハイレベルの信号を入力した場合には、当該ハイレベルの信号に対応する所定値を、受信レベル検出回路１２６からの受信局信号電界強度検出値に加算してアクセサリ回路１３６へ出力する。一方、シフト回路１３４は、ＡＮＤ回路１３２からのハイレベルの信号を入力していない場合には、受信レベル検出回路１２６からの受信局信号電界強度検出値をそのままアクセサリ回路１３６へ出力する。
【００２２】
アクセサリ回路１３６は、シフト回路１３４からの出力値に基づいて、検波回路１２４からの受信局信号の出力を遮断するミュート処理、受信局信号の高周波帯域成分の出力を遮断するハイカット処理、受信局信号の左右成分を混合して当該受信局信号に基づくステレオ再生をモノラル再生へ切り替える処理のいずれかを行う。音声出力部１３８は、図示しないスピーカを内蔵し、アクセサリ回路１３６からの受信局信号に基づいて、スピーカから音声を出力する。
【００２３】
次に、フローチャートを参照しつつ、受信装置１００における動作を説明する。図２は、受信装置１００のバックエンドにおける動作を示すフローチャートである。
【００２４】
上述したように、中間周波フィルタ１２０は、中間周波増幅回路１１６からの中間周波信号について、所定の中間周波帯域のみを出力する。ＩＦ−ＡＧＣ回路１２２は、中間周波フィルタ１２０からの中間周波信号の電界強度が予め定められた値を超える場合には、当該中間周波信号の電界強度が予め定められた値以下となるように、中間周波増幅回路１１６の増幅度を設定する。更に、ＩＦ−ＡＧＣ回路１２２は、当該設定を行った場合には、その旨をＩＦ−ＡＧＣ動作判定部１３０へ出力する。一方、検波回路１２４は、中間周波フィルタ１２０からの中間周波信号を検波し、受信局信号を得る。そして、受信レベル検出回路１２６は、この受信局信号の電界強度を数値化して、受信局信号電界強度検出値を得て、弱電界判定部１２８及びシフト回路１３４へ出力する。弱電界判定部１２８は、この受信局信号電界強度検出値が予め定められた閾値ａより大きいか否かを判定する（Ｓ１０１）。
【００２５】
受信局信号電界強度検出値が予め定められた閾値ａより大きい場合には、弱電界判定部１２８は、ＡＮＤ回路１３２に対してハイレベルの信号を出力しない。この場合には、ＡＮＤ回路１３２もハイレベルの信号を出力しない。シフト回路１３４は、ＡＮＤ回路１３２がハイレベルの信号を出力しないことに対応して、受信レベル検出回路１２６からの受信局信号電界強度検出値を初期値のままとし、アクセサリ回路１３６へ出力する（Ｓ１０２）。この際、シフト回路１３４は、受信局信号の周波数によって定まる時定数Ｔｒの時間をかけて、出力値を初期値に設定する。
【００２６】
一方、Ｓ１０１において、受信局信号電界強度検出値が閾値ａ以下であると判定された場合には、弱電界判定部１２８は、ＡＮＤ回路１３２に対して、ハイレベルの信号を出力する。また、ＩＦ−ＡＧＣ動作判定部１３０は、ＩＦ−ＡＧＣ回路１２２が減衰動作を行っているか否かを判定する（Ｓ１０３）。具体的には、ＩＦ−ＡＧＣ動作判定部１３０は、上述したように、ＩＦ−ＡＧＣ回路１２２からの中間周波信号の電界強度が予め定められた値以下となるように中間周波増幅回路１１６の増幅度を設定した旨の通知を入力した場合には、ＩＦ−ＡＧＣ回路１２２が減衰動作を行っていると判定する。
【００２７】
ＩＦ−ＡＧＣ回路１２２が減衰動作を行っている場合、ＩＦ−ＡＧＣ動作判定部１３０は、ＡＮＤ回路１３２に対してハイレベルの信号を出力する。この場合、ＡＮＤ回路１３２は、弱電界判定部１２８及びＩＦ−ＡＧＣ動作判定部１３０の双方からハイレベルの信号を受信するため、シフト回路１３４へハイレベルの信号を出力する。シフト回路１３４は、このハイレベルの信号を入力すると、当該ハイレベルの信号に対応する所定値ｂを、受信レベル検出回路１２６からの受信局信号電界強度検出値の初期値に加算してアクセサリ回路１３６へ出力する（Ｓ１０４）。この際、シフト回路１３４は、受信局信号の周波数によって定まる時定数Ｔａの時間をかけて、出力値を初期値に所定値ｂを加算した値とする。
【００２８】
一方、Ｓ１０３において、ＩＦ−ＡＧＣ回路１２２が減衰動作を行っていないと判定された場合には、ＩＦ−ＡＧＣ動作判定部１３０は、ＡＮＤ回路１３２に対してローレベルの信号を出力する、もしくは、ハイレベルの信号を出力しない。この場合、ＡＮＤ回路１３２は、弱電界判定部１２８のみからハイレベルの信号を受信するため、シフト回路１３４へハイレベルの信号を出力せず、当該シフト回路１３４は、受信レベル検出回路１２６からの受信局信号電界強度検出値を初期値のままとし、アクセサリ回路１３６へ出力する（Ｓ１０５）。この際、シフト回路１３４は、受信局信号の周波数によって定まる時定数Ｔｒの時間をかけて、出力値を初期値に設定する。
【００２９】
アクセサリ回路１３６は、上述したＳ１０２、Ｓ１０４及びＳ１０５におけるシフト回路１３４の出力値に基づいて、検波回路１２４からの受信局信号の出力を遮断するミュート処理、受信局信号の高周波帯域成分の出力を遮断するハイカット処理、受信局信号の左右成分を混合して当該受信局信号に基づくステレオ再生をモノラル再生へ切り替える処理のいずれかを行う。具体的には、アクセサリ回路１３６は、シフト回路１３４の出力値が第１の所定値以下である場合には、ステレオ再生をモノラル再生へ切り替える処理を行い、第１の所定値よりも小さい第２の所定値以下である場合には、ハイカット処理を行い、第２の所定値よりも小さい第３の所定値以下である場合には、ミュート処理を行う。
【００３０】
図３は、本実施形態と従来例とにおける、妨害局信号の電界強度と受信局信号の電界強度との関係を示す図である。図３において、１１は本実施形態における受信局信号の電界強度の信号成分、１２は雑音成分であり、２１は従来例における受信局信号の電界強度の信号成分、２２は雑音成分である。図３に示すように、妨害局信号の電界強度が高くなると、ＩＦ−ＡＧＣ回路１２２が減衰動作を行う結果、中間周波増幅回路１１６から出力される中間周波信号が減衰され、更には、当該中間周波信号に含まれ、検波回路１２４によって検波される受信局信号の電界強度も減衰する。但し、本実施形態の場合は、従来例よりも減衰の度合いを小さくすることができる。
【００３１】
図４は、本実施形態と従来例とにおける、受信される高周波信号の電界強度と、アクセサリ回路１３６が出力する受信局信号の電界強度及び受信局信号電界強度検出値との関係を示す図である。図４において、１６は本実施形態における受信局信号電界強度検出値、１７はアクセサリ回路１３６が出力する受信局信号の電界強度の信号成分、１８は雑音成分であり、２６は従来例における受信局信号電界強度検出値、２７はアクセサリ回路１３６が出力する受信局信号の電界強度の信号成分、２８は雑音成分である。図４に示すように、本実施形態と従来例とにおいて、受信される高周波信号の電界強度が同一であっても、本実施形態では、シフト回路１３４によって受信局信号電界強度検出値に所定値が加算されることによって大きくなり、その結果、アクセサリ回路１３６が出力する受信局信号の電界強度も大きくなる。
【００３２】
このように、本実施形態では、受信局信号電界強度検出値が閾値ａ以下であり、且つ、ＩＦ−ＡＧＣ回路１２２が減衰動作を行っている場合には、シフト回路１３４からアクセサリ回路１３６への出力値は、受信局信号電界強度検出値の初期値に所定値ｂを加算した値となる。そして、アクセサリ回路１３６は、この出力値に基づいて、検波回路１２４からの受信局信号の出力を遮断するミュート処理、受信局信号の高周波帯域成分の出力を遮断するハイカット処理、受信局信号の左右成分を混合して当該受信局信号に基づくステレオ再生をモノラル再生へ切り替える処理のいずれかを行うことにより、ＲＦ−ＡＧＣ回路１１８やＩＦ−ＡＧＣ回路１２２の減衰動作時においても所望する受信局信号の減衰を抑制することが可能となる。
【００３３】
なお、上述した実施形態では、シフト回路１３４は、受信局信号電界強度検出値が閾値ａ以下であり、且つ、ＩＦ−ＡＧＣ回路１２２が減衰動作を行っている場合に、受信局信号電界強度検出値の初期値に所定値ｂを加算した値をアクセサリ回路１３６への出力値としたが、ＩＦ−ＡＧＣ回路１２２が減衰動作を行っていれば、受信局信号電界強度検出値が閾値以下であるか否かに関わらず、受信局信号電界強度検出値の初期値に所定値を加算してアクセサリ回路１３６へ出力するようにしてもよい。
【産業上の利用可能性】
【００３４】
以上、説明したように、本発明に係る受信装置は、受信信号の減衰動作時においても所望する信号の減衰を抑制することが可能であり、受信装置として有用である。
【図面の簡単な説明】
【００３５】
【図１】受信装置の構成を示す図である。
【図２】受信装置のバックエンドにおける動作を示すフローチャートである。
【図３】本実施形態と従来例とにおける、妨害局信号の電界強度と受信局信号の電界強度との関係を示す図である。
【図４】本実施形態と従来例とにおける、受信される高周波信号の電界強度と、アクセサリ回路が出力する受信局信号の電界強度及び受信局信号電界強度検出値との関係を示す図である。
【符号の説明】
【００３６】
１００  受信装置
１０２  アンテナ
１０４  ＲＦ減衰回路
１０６、１１０  ＲＦ同調フィルタ
１０８  高周波増幅回路
１１２  混合器
１１４、１２０  中間周波フィルタ
１１６  中間周波増幅回路
１１８  ＲＦ−ＡＧＣ回路
１２２  ＩＦ−ＡＧＣ回路
１２４  検波回路
１２６  受信レベル検出回路
１２８  弱電界判定部
１３０  ＩＦ−ＡＧＣ動作判定部
１３２  ＡＮＤ回路
１３４  シフト回路
１３６  アクセサリ回路
１３８  音声出力部
１４０  マイクロコンピュータ
【図１】
2009017318.tif 000003
【図２】
2009017318.tif 000004
【図３】
2009017318.tif 000005
【図４】
2009017318.tif 000006